(57)【要約】【課題】視聴者側において、煩雑な操作を必要とすることなく希望する放送番組のみをもれなく蓄積できるようにする。【解決手段】送信装置１１において、放送番組ごとに、そのジャンルに対応する蓄積優先レベル情報を優先レベル対応テーブルから読み出して放送番組に付加し、この蓄積優先レベル情報が付加された放送番組を送信する。一方、受信端末１３においては、事前にＩＣカード１４から蓄積優先レベル情報のしきい値情報ＰＲを読み込んで内部メモリに格納する。この状態で放送番組の受信が開始されると、放送番組に付加されている蓄積優先レベル情報ＰＬを上記内部メモリに格納されている蓄積優先レベル情報のしきい値情報ＰＲと比較する。そして、この比較結果をもとに、受信された放送番組情報ＢＤが蓄積対象であるか否かを判定し、蓄積対象の場合に当該放送番組情報ＢＤを記憶部１３６に蓄積する。【選択図】    図１
2004343197.tif 000002
【特許請求の範囲】
【請求項１】
送信装置から受信装置に向け放送番組を放送するシステムであって、
前記送信装置は、
前記放送番組に、当該放送番組の蓄積優先レベルを表す情報を付加する手段と、
前記蓄積優先レベルを表す情報が付加された放送番組を送信する手段と
を備え、
前記受信装置は、
前記送信装置から送信された放送番組を受信する手段と、
前記放送番組が受信されるごとに、当該放送番組に付加されている蓄積優先レベルを表す情報を、予め用意された蓄積優先レベルのしきい値と比較する手段と、
前記比較結果に基づいて、前記受信された放送番組を蓄積するか否かを決定する手段と
を備えることを特徴とする放送システム。
【請求項２】
受信装置に向け放送番組を放送する送信装置であって、
前記放送番組に、当該放送番組を蓄積対象とするか否かを前記受信装置に判定させるための蓄積優先レベルを表す情報を付加する手段と、
前記蓄積優先レベルを表す情報が付加された放送番組を前記受信装置に向け送信する手段と
を具備することを特徴とする送信装置。
【請求項３】
前記蓄積優先レベルを表す情報を付加する手段は、放送番組のジャンルごとに異なる蓄積優先レベルを設定し、この設定された蓄積優先レベルを表す情報を付加することを特徴とする請求項２記載の送信装置。
【請求項４】
前記蓄積優先レベルを表す情報を付加する手段は、放送番組の品質に応じて蓄積優先レベルを設定し、この設定された蓄積優先レベルを表す情報を付加することを特徴とする請求項２記載の送信装置。
【請求項５】
前記蓄積優先レベルを付加する手段は、放送番組の料金体系に基づいて蓄積優先レベルを設定し、この設定された蓄積優先レベルを表す情報を付加することを特徴とする請求項２記載の送信装置。
【請求項６】
送信装置から放送される、蓄積優先レベルを表す情報が付加された放送番組を受信する受信装置であって、
前記送信装置から送信された放送番組を受信する手段と、
前記放送番組が受信されるごとに、当該放送番組に付加されている蓄積優先レベルを表す情報を、予め用意された蓄積優先レベルのしきい値と比較する手段と、
前記比較結果に基づいて、前記受信された放送番組を蓄積するか否かを決定する手段と
を具備することを特徴とする受信装置。
【請求項７】
前記蓄積優先レベルのしきい値を受信装置外から取り込んで格納する手段を、さらに具備し、
前記比較する手段は、前記放送番組が受信されるごとに、当該放送番組に付加されている蓄積優先レベルを表す情報を、前記格納された蓄積優先レベルのしきい値と比較することを特徴とする請求項６記載の受信装置。
【請求項８】
前記蓄積優先レベルのしきい値を受信装置外から取り込んで格納する手段は、メモリカードからしきい値を読み込んで格納することを特徴とする請求項７記載の受信装置。
【請求項９】
前記蓄積優先レベルのしきい値を受信装置外から取り込んで格納する手段は、リモートコントローラのキー入力操作により入力されたしきい値を取り込んで格納することを特徴とする請求項７記載の受信装置。
【発明の詳細な説明】
【０００１】
【発明の属する技術分野】
この発明は、例えば地上波又は衛星を利用して、放送番組を放送局側の送信装置から受信装置に向け放送するシステムと、このシステムに使用される送信装置及び受信装置に関する。
【０００２】
【従来の技術】
近年、例えば地上波ディジタル放送或いは衛星ディジタル放送を利用して、放送局からニュースやスポーツ、ショッピング、ゲーム等の放送番組を放送し、これらの放送番組を視聴者の受信端末で受信し蓄積させるサービスが計画されている。しかし、受信端末にすべての放送番組を蓄積させることは、受信端末に設けられたメモリの記憶容量や視聴者の視聴希望、料金等の点で必ずしも最良とは限らない。
【０００３】
そこで、従来では例えば視聴者が放送チャネル単位でサービスの利用契約を行い、契約した一つの放送チャネルにより放送される番組のみが蓄積されるようにする方法と、視聴者が蓄積を希望する放送番組を番組単位で予め指定し、この指定された放送番組のみが蓄積されるようにする方法が実現されている。このような方法を採用すれば、受信端末の限られたメモリ容量を有効に使用して効率的な蓄積を行うことが可能となる。
【０００４】
【発明が解決しようとする課題】
ところが、これらの方法には次のような改善すべき課題がある。すなわち、前者の方法では、契約された一つの放送チャネルにより放送される放送番組しか蓄積されない。このため、例えば契約された他の複数の放送チャネルにおいて視聴者が希望するジャンルの番組が放送されていても、この番組を蓄積することができない。また、契約した一つの放送チャネルの放送番組については視聴希望の有無に関係なくもれなく蓄積されてしまう。このため視聴者は、例えば希望するジャンルの番組のみを再生したい場合には、蓄積された多種多様なジャンルの放送番組の中から希望するジャンルの番組を選択しなければならず、再生操作が面倒となる。
【０００５】
一方後者の方法では、受信を希望する放送番組を事前に指定しておかなければならない。このため、視聴者の受信前の設定操作がきわめて煩雑となる。
【０００６】
この発明は上記事情に着目してなされたもので、その目的とするところは、視聴者側において煩雑な操作を必要とすることなく希望する放送番組のみをもれなく蓄積できるようにした放送システムとその送信装置及び受信装置を提供することにある。
【０００７】
【課題を解決するための手段】
上記目的を達成するためにこの発明は、送信装置から受信装置に向け放送番組を放送する際に、送信装置において、放送番組に当該放送番組の蓄積優先レベルを表す情報を付加して送信する。一方受信装置においては、放送番組が受信されるごとに当該放送番組に付加されている蓄積優先レベルを表す情報を予め用意された蓄積優先レベルのしきい値と比較する。そして、この比較結果に基づいて、上記受信された放送番組を蓄積するか否かを決定するようにしたものである。
【０００８】
上記放送番組に蓄積優先レベルを表す情報を付加する手段としては、放送番組のジャンルごとに異なる蓄積優先レベルを設定してその情報を放送番組に付加する手法と、画質や音質等と云った放送番組の品質に応じて蓄積優先レベルを設定してその情報を放送番組に付加する手法と、放送番組の料金体系に基づいて蓄積優先レベルを設定してその情報を放送番組に付加する手法とが考えられる。
【０００９】
したがってこの発明によれば、受信装置において、予め用意された蓄積優先レベルのしきい値より蓄積優先レベルの高い放送番組については、放送チャネルを問わずもれなく蓄積される。一方、蓄積優先レベルのしきい値に蓄積優先レベルが満たない放送番組については蓄積されない。
【００１０】
例えば、蓄積優先レベルを放送番組のジャンルをもとに設定した場合には、視聴者が希望するジャンルの放送番組のみが選択的に蓄積される。また、蓄積優先レベルを放送番組の画質や音質等と云った放送番組の品質に応じて設定した場合には、受信装置が備える受信再生スペックに対応する品質の放送番組のみが選択的に蓄積される。さらに、有料放送において放送番組の料金体系に応じて蓄積優先レベルを設定している場合には、一定料金以下の放送番組のみが選択されて蓄積される。
【００１１】
したがって、受信装置のメモリ容量を有効に使用して効率の良い蓄積を行うことができる。また視聴者は、受信を希望する放送番組を事前に番組単位に指定する必要がなくなり、さらに蓄積された放送番組を再生する際に多種多様なジャンル等の放送番組の中から希望する番組を自ら選択する手間も不要となる。すなわち、受信装置において、煩雑な操作を必要とすることなく希望する放送番組のみをもれなく蓄積することが可能となる。
【００１２】
また、受信装置において蓄積優先レベルのしきい値を取り込んで格納する手段としては、メモリカードからしきい値を読み込んで格納する手段と、リモートコントローラからキー入力操作により入力されたしきい値を取り込んで格納する手段とが考えられる。
【００１３】
前者によれば、例えば視聴者の認証のために用いるメモリカードに視聴者が希望する蓄積優先レベルのしきい値を予め記憶しておくことで、視聴者はしきい値設定のための特別な入力操作を行うことなく、受信装置を増設或いは買い替えた場合や他者から借りた場合でも、自身が希望する蓄積優先レベルの放送番組のみをもれなく蓄積させることができる。一方後者によれば、メモリカードスロットを持たない受信装置においても、視聴者が希望する蓄積優先レベルのしきい値を任意に入力し設定することができる。
【００１４】
【発明の実施の形態】
図１は、この発明に係わる放送システムの一実施形態を示すブロック構成図である。
【００１５】
この放送システムは、放送局等に設けられる送信装置１１と、この送信装置１１が送信した放送信号を受信してサービスエリアに向け送信する放送衛星１２と、上記サービスエリアにおいて前記放送衛星１２から送信された放送信号を受信する複数の受信端末１３とを備えている。受信端末１３には、自動車等の移動体に搭載される車載型の端末装置と、屋内等に設置される固定設置型の端末装置とがある。なお、同図では図示の都合上受信端末１３は１台のみ示している。
【００１６】
送信装置１１は、蓄積優先レベル付加制御部１１１と、送信制御部１１２と、送信機１１３と、記憶部１１４とを備えている。記憶部１１４には、送信対象の放送番組を記憶する記憶領域と、蓄積優先レベル対応テーブルの記憶領域とが設けられている。蓄積優先レベル対応テーブルには、放送番組の複数のジャンルＩＤと、蓄積優先レベルとの対応関係を表す情報が記憶されている。
【００１７】
蓄積優先レベル付加制御部１１１は、図示しない放送番組編集装置等から放送番組が入力された場合に、例えばこの放送番組の属性情報から当該放送番組のジャンルを判定する。そして、記憶部１１４に記憶されている上記蓄積優先レベル対応テーブルを参照して、上記判定されたジャンルに対応する蓄積優先レベルを読み出し、この読み出された蓄積優先レベルを上記放送番組の属性情報に付加する。そして、この蓄積優先レベルが付加された放送番組を記憶部１１４に保存する。なお、属性情報としては例えばブックマーク情報が用いられる。
【００１８】
送信制御部１１２は、上記記憶部１１４に保存された複数の放送番組をＣＤＭ（Ｃｏｄｅ  Ｄｉｖｉｓｉｏｎ  Ｍｕｌｔｉｐｌｅｘ）方式により多重する。そして、このＣＤＭ多重処理により生成された放送信号を送信機１１３に供給する。送信機１１３は、上記送信制御部１１２から供給された放送信号を、無線周波信号に周波数変換すると共に所定の送信電力レベルに増幅した後、送信アンテナ１１５から放送衛星１２に向け送信する。
【００１９】
一方、受信端末１３は次のように構成される。すなわち、送信装置１１から送信されたのち衛星１２により中継された放送信号は、受信アンテナ１３１により受信されてチューナ１３２に入力される。チューナ１３２は受信された放送信号をＣＤＭ復調部１３３に入力する。ＣＤＭ復調部１３３は、制御ユニット１３５のチャネル制御部１３５４から指定されるチャネルの放送信号を選択的に受信する。そして、上記受信された放送信号に対するＣＤＭ復調処理と、デスクランブル処理とを行う。これらの処理により、放送信号にＣＤＭ多重されていた複数の放送番組が分離される。
【００２０】
なお、上記ＣＤＭ復調部１３３は、蓄積対象の放送番組が含まれる非常時受信チャネルと、リアルタイムに視聴が可能なオンエア放送番組が含まれる常時受信チャネルとを同時に受信する機能を有している。この機能により、オンエア放送番組と蓄積対象の放送番組の同時並行受信が可能となる。
【００２１】
上記ＣＤＭ復調処理により受信された各放送番組のうち、オンエア放送番組はデコーダ部１３４に入力される。デコーダ部１３４は、上記入力されたオンエア放送番組のコンテンツデータをデコードすることにより映像信号及び音声信号を再生する。この再生された映像信号は、図示しないモニタに供給されて表示される。また音声信号は図示しないスピーカに供給されて拡声出力される。
【００２２】
一方、上記ＣＤＭ復調処理により受信された蓄積対象の放送番組は、制御ユニット１３５に入力される。制御ユニット１３５はＣＰＵ（Ｃｅｎｔｒａｌ  Ｐｒｏｃｅｓｓｉｎｇ  Ｕｎｉｔ）を備える。そして、この発明に係わる制御処理機能として、蓄積優先レベル判定部１３５１と、蓄積優先レベル設定制御部１３５２と、蓄積制御部１３５３とを備えている。これらの機能はいずれも、プログラムを上記ＣＰＵに実行させることにより実現される。
【００２３】
蓄積優先レベル設定制御部１３５２は、ＩＣカードインタフェース（Ｉ／Ｆ）部１３７にセットされたＩＣカード１４から、蓄積優先レベルのしきい値情報ＰＲを取り込む。そして、この取り込まれた蓄積優先レベルのしきい値情報ＰＲを制御ユニット１３５内の不揮発性メモリ（図示せず）に格納する。
【００２４】
蓄積優先レベル判定部１３５１は、受信復調された放送番組の属性情報（例えばブックマーク情報）から蓄積優先レベル情報ＰＬを読み込む。そして、この受信された蓄積優先レベル情報ＰＬを、上記不揮発性メモリに格納されている蓄積優先レベルのしきい値情報ＰＲと比較し、その比較結果を蓄積制御部１３５３に与える。
【００２５】
蓄積制御部１３５３は、上記蓄積優先レベル判定部１３５１から与えられた比較結果に基づいて、受信された蓄積優先レベルＰＬが蓄積優先レベルのしきい値ＰＲ以上であれば、上記受信された放送番組を記憶部１３６に蓄積する。一方、受信された蓄積優先レベルＰＬが蓄積優先レベルのしきい値ＰＲ未満であれば、上記受信された放送番組の蓄積を行わない。
なお、記憶部１３６には、不揮発性ランダムアクセスメモリ（ＮＶＲＡＭ）又はハードディスクが使用される。
【００２６】
次に、以上のように構成されたシステムの動作を説明する。
先ず、送信装置１１は次のように動作する。図２はその制御手順と処理内容を示すフローチャートである。
【００２７】
記憶部１１４に設けられた蓄積優先レベル対応テーブルには、放送番組の複数のジャンルＩＤと、蓄積優先レベルとの対応関係を表す情報が予め記憶されている。例えば、いま放送番組のジャンルに、「ニュース」、「スポーツ」、「映画又はドラマ」、「ショッピング及びゲーム」があったとする。この場合、ニュースには蓄積優先レベル＃１が、またスポーツには蓄積優先レベル＃２がそれぞれ対応付けられて記憶され、さらに「映画又はドラマ」には蓄積優先レベル＃３が、「ショッピング及びゲーム」には蓄積優先レベル＃４がそれぞれ対応付けられて記憶される。
【００２８】
待ち受け状態において送信装置１１は、ステップ２ａで放送番組の入力を監視する。この状態で、図示しない放送番組編集装置から放送番組が入力されると、送信装置１１はステップ２ｂに移行し、蓄積優先レベル付加制御部１１１により先ず上記入力された放送番組の属性情報から当該放送番組のジャンルを判定する。続いてステップ２ｃに移行し、記憶部１１４の蓄積優先レベル対応テーブルをアクセスして、この蓄積優先レベル対応テーブルから上記判定されたジャンルに対応する蓄積優先レベルを読み出す。そして、ステップ２ｄにより、上記読み出された蓄積優先レベルを上記入力された放送番組の属性情報に付加し、この蓄積優先レベルが付加された放送番組を記憶部１１４に保存する。
【００２９】
例えば、入力された放送番組のジャンルが「ニュース」であれば、上記蓄積優先レベル対応テーブルに従い蓄積優先レベル＃１が付加される。また、入力された放送番組のジャンルが「スポーツ」であれば蓄積優先レベル＃２が、また入力された放送番組のジャンルが「映画又はドラマ」であれば蓄積優先レベル＃３がそれぞれ付加される。同様に、入力された放送番組のジャンルが「ショッピング及びゲーム」であれば蓄積優先レベル＃４が付加される。
【００３０】
上記蓄積優先レベルの付加が終了すると、送信装置１１はステップ２ｅに移行し、送信制御部１１２により放送番組の放送タイミングを監視する。そして、放送タイミングになると、ステップ２ｆに移行して上記記憶部１１４から該当する放送番組をそれぞれ読み出す。そして、この読み出された複数の放送番組をＣＤＭ方式により多重したのち、送信機１１３で無線周波信号に変換し、さらに所定の電力レベルに送信増幅して、送信アンテナ１１５から放送衛星１２に向け送信する。
【００３１】
これに対し受信端末１３では、次のように放送番組の受信蓄積動作が行われる。図３は、受信端末１３の制御ユニット１３５の制御処理手順と処理内容を示すフローチャートである。
【００３２】
すなわち、放送番組の受信に先立ち視聴者は、受信端末１３のＩＣカードＩ／Ｆ部１３７にＩＣカード１４をセットする。ＩＣカード１４には、視聴者の認証コードと、受信契約に基づいて設定された受信対象のチャネル番号及び利用期間とに加え、蓄積優先レベルのしきい値情報ＰＲが予め記憶されている。
【００３３】
受信端末１３の制御ユニット１３５は、ステップ３ａでＩＣカード１４のセットを検出すると、上記ＩＣカード１４から視聴者の認証コードを読み込んで認証を行う。そして、この認証により視聴者の正当性が確認されると、続いてステップ３ｂによりＩＣカード１４から受信対象チャネル番号等の契約情報と共に蓄積優先レベルのしきい値情報ＰＲを読み込み、この読み込まれた蓄積優先レベルのしきい値情報ＰＲを制御ユニット１３５の不揮発性メモリに格納する。
【００３４】
さて、この状態で放送番組の受信動作が開始されると、受信端末１３の制御ユニット１３５は先ずステップ３ｃからステップ３ｄに移行し、受信復調された放送番組情報ＢＤに付加されている属性情報から蓄積優先レベル情報ＰＬを抽出する。続いて、ステップ３ｅに移行し、蓄積優先レベル判定部１３５１により、上記受信された蓄積優先レベル情報ＰＬを、上記不揮発性メモリに格納されている蓄積優先レベルのしきい値情報ＰＲと比較する。そして、この比較結果をもとに、上記受信された放送番組情報ＢＤが蓄積対象であるか否かをステップ３ｆで判定し、この判定の結果蓄積対象だった場合には当該放送番組情報ＢＤを記憶部１３６に蓄積する（ステップ３ｇ）。
【００３５】
例えば、上記不揮発性メモリに蓄積優先レベルのしきい値＃２が格納されており、かつ受信された放送番組情報ＢＤに蓄積優先レベル＃１が付加されていたとする。そうすると制御ユニット１３５は、受信された蓄積優先レベル＃１はしきい値＃２以上であるため、上記受信された放送番組情報ＢＤは蓄積対象であると判断し、当該放送番組情報ＢＤを記憶部１３６に蓄積する。なお、受信された放送番組に蓄積優先レベル＃２が付加されていた場合にも、当該放送番組情報ＢＤは蓄積対象であると判断して記憶部１３６に蓄積する。
【００３６】
一方、受信された放送番組情報ＢＤに蓄積優先レベル＃３が付加されていたとする。この場合制御ユニット１３５は、受信された蓄積優先レベル＃３はしきい値＃２未満であるため、上記受信された放送番組情報ＢＤは蓄積対象ではないと判断し、当該放送番組情報ＢＤの蓄積を行わない。また、受信された放送番組情報ＢＤに蓄積優先レベル＃４が付加されていた場合にも、この蓄積優先レベル＃４はしきい値＃２未満であるため、上記受信された放送番組情報ＢＤは蓄積対象ではないと判断し蓄積しない。
【００３７】
例えば、蓄積優先レベル＃３のみを受信したい場合には、ＩＣカード１４に蓄積優先レベル＃３以下でかつ蓄積優先レベル＃２未満の情報を取り込んでＩＣカードＩ／Ｆ部１３７に入力することで、蓄積優先レベル＃３のみを蓄積することが可能になる。なお、この例はしきい値情報が２個の例であるが、しきい値情報を４個にすれば、例えば蓄積優先レベル＃１と蓄積優先レベル＃４のみを蓄積することが可能になる。
【００３８】
すなわち、この場合記憶部１３６には、ジャンルが「ニュース」及び「スポーツ」に該当する放送番組のみが蓄積され、一方ジャンルが「映画又はドラマ」や「ショッピング及びゲーム」に該当する放送番組は蓄積されない。
【００３９】
そうして、放送番組情報ＢＤの蓄積が終了すると、制御ユニット１３５はこの蓄積処理の終了をステップ３ｈにて検出し待ち受け状態に復帰する。以後、放送番組情報ＢＤが受信されるごとに以上の処理を繰り返す。
【００４０】
以上述べたようにこの実施形態では、送信装置１１において、放送番組ごとに、そのジャンルに対応する蓄積優先レベル情報を優先レベル対応テーブルから読み出して放送番組に付加し、この蓄積優先レベル情報が付加された放送番組を送信する。一方、受信端末１３においては、事前にＩＣカード１４から蓄積優先レベル情報のしきい値情報ＰＲを読み込んで内部メモリに格納しておく。この状態で放送番組の受信が開始されると、放送番組ごとに、当該放送番組に付加されている蓄積優先レベル情報ＰＬを上記内部メモリに格納された蓄積優先レベル情報のしきい値情報ＰＲと比較する。そして、この比較結果をもとに、受信された放送番組情報ＢＤが蓄積対象であるか否かを判定し、蓄積対象の場合に当該放送番組情報ＢＤを記憶部１３６に蓄積するようにしている。
【００４１】
したがってこの実施形態によれば、受信端末１３において、予め設定した蓄積優先レベルのしきい値情報ＰＬ以上の蓄積優先レベルが与えられた放送番組についてはもれなく蓄積され、一方蓄積優先レベルのしきい値情報ＰＲに満たない蓄積優先レベルが与えられた放送番組については蓄積されないようにすることができる。このため、受信端末１３の記憶部１３６のメモリ容量を有効に使用して効率の良い蓄積を行うことができる。
【００４２】
また視聴者は、受信を希望する放送番組を事前に番組単位に指定する必要がなくなり、さらに蓄積された放送番組を再生する際に多種多様なジャンル等の放送番組の中から希望する番組を自ら選択する手間も不要となる。すなわち、受信端末１３において、煩雑な操作を必要とすることなく希望する放送番組のみをもれなく蓄積することができる。
【００４３】
さらに、ＩＣカード１４に視聴者が受信を希望するジャンルの蓄積優先レベルのしきい値情報ＰＲを予め記憶しておき、このＩＣカード１４から蓄積優先レベルのしきい値情報ＰＲを受信端末１３内に読み込んで内部メモリに設定するようにしたので、視聴者はしきい値設定のための特別な入力操作を行う必要がなく、また受信端末１３を増設或いは買い替えた場合や他者から借りた場合でも、自身が受信を希望する蓄積優先レベルの放送番組のみをもれなく受信端末１３に蓄積することができる。
【００４４】
なお、この発明は上記実施形態に限定されるものではない。例えば、上記実施形態では放送番組のジャンルに応じて蓄積優先レベルを設定した場合を例にとって説明した。しかし、これに限るものではなく、例えば放送番組の画質や音質等と云った放送番組の品質に応じて蓄積優先レベルを設定してもよい。このようにすると、受信端末１３が備える解像度等の受信再生スペックに見合う品質の放送番組のみを蓄積することができる。また、放送番組の料金体系に基づいて蓄積優先レベルを設定するようにしてもよい。このようにすると、有料放送を受信蓄積する場合に、一定料金以下の放送番組のみを蓄積することができる。
【００４５】
また前記実施形態では、蓄積優先レベルのしきい値情報をＩＣカード１４から受信端末１３に読み込んで内部メモリに格納するようにしたが、蓄積優先レベルのしきい値情報を視聴者、メーカ或いは販売店がリモートコントローラ或いは受信端末に設けられているキー入力部の操作により入力して受信端末１３内のメモリに格納するようにしてもよい。
【００４６】
さらに、記憶部１３６内に蓄積された放送番組を、その蓄積優先レベルをもとに編集するようにしてもよい。このようにすると、例えば蓄積された放送番組をジャンル別に整理して蓄積し直すことができる。
【００４７】
その他、送信装置における蓄積優先レベル情報の構成や設定手法、放送番組に対する蓄積優先レベル情報の付加手法、受信端末の種類や構成、蓄積制御の手順と内容などについても、この発明の要旨を逸脱しない範囲で種々変形して実施できる。
【００４８】
【発明の効果】
以上詳述したようにこの発明では、送信装置から受信装置に向け放送番組を放送する際に、送信装置において、放送番組ごとに当該放送番組の蓄積優先レベルを表す情報を付加して送信する。一方、受信装置においては、放送番組を受信するごとに、当該放送番組に付加されている蓄積優先レベルを情報を予め用意された蓄積優先レベルのしきい値と比較し、この比較結果に基づいて上記受信された放送番組を蓄積するか否かを決定するようにしている。
【００４９】
したがってこの発明によれば、視聴者側において煩雑な操作を必要とすることなく希望する放送番組のみをもれなく蓄積できるようにした放送システムとその送信装置及び受信装置を提供することができる。
【図面の簡単な説明】
【図１】この発明に係わる放送システムの一実施形態を示すブロック構成図。
【図２】図１に示したシステムの送信装置の送信制御手順とその内容を示すフローチャート。
【図３】図１に示したシステムの受信端末の蓄積制御手順とその内容を示すフローチャート。
【符号の説明】
１１…送信装置、１２…放送衛星、１３…受信端末、１４…ＩＣカード、１１１…蓄積優先レベル付加制御部、１１２…送信制御部、１１３…送信機、１１４…記憶部、１１５…送信アンテナ、１３１…受信アンテナ、１３２…チューナ、１３３…ＣＤＭ復調部、１３４…デコーダ部、１３５…制御ユニット、１３６…記憶部、１３７…ＩＣカードインタフェース部、１３５１…蓄積優先レベル判定部、１３５２…蓄積優先レベル設定制御部、１３５３…蓄積制御部、１５３４…チャネル制御部。
【図１】
2004343197.tif 000003
【図２】
2004343197.tif 000004
【図３】
2004343197.tif 000005